(57)【特許請求の範囲】
【請求項１】
電気電子部品と電気電子部品間を接続する配線を有する電気電子回路の結線図作成装置であって、
前記電気電子部品および配線の属性情報を入力するそれぞれの属性の入力部と、
電気電子部品、配線の作図用のデータ、入力された属性、および検索指示に基づき結線図を作成する結線図作成部と、
前記結線図作成部で作成された結線図の結線図情報および入力された配線と電気電子部品の属性情報を記憶する記憶部と、
指示された配線と電気電子部品の属性に従って前記記憶部内の検索を行う検索部と、
前記配線と電気電子部品の属性の検索結果をもとに結線図全体から指示された属性の回路部分だけを出力する出力部と、
を備え、
前記電気電子部品の属性の入力部が、電気電子部品の属性を単一または複数の信号として与える属性付加手段、および部品の外形寸法、ピンの位置、ピンの割り当てとして与える部品の外形寸法、ピンの位置、ピンの割当て付加手段を含み、前記出力部が、入力した電気電子部品の外形寸法、ピンの位置、ピンの割り当てによって指定された情報で結線図を表示する出力手段を含むことを特徴とする電気電子回路の結線図作成装置。
【請求項２】
前記出力部が、属性を入力した電気電子部品の電源とＧＮＤピンに接続された電源およびＧＮＤに関連した部分を、配線と電気電子部品の属性の検索結果に追加して出力する追加出力手段を含むことを特徴とする請求項１に記載の電気電子回路の結線図作成装置。
【請求項３】
前記配線の属性の入力部が、配線の属性を単一または複数の信号とし、配線の一部に属性を与える属性付加手段を含むことを特徴とする請求項１または２に記載の電気電子回路の結線図作成装置。
【請求項４】
前記電気電子部品の属性の入力部の属性付加手段が、電気電子部品の属性を単一または複数の信号とし、電気電子部品の一部に属性を与えることを特徴とする請求項１ないし３のいずれか１項に記載の電気電子回路の結線図作成装置。
【請求項５】
前記電気電子部品の属性の入力部の属性付加手段が、一つの電気電子部品に複数の属性を与えることを特徴とする請求項１ないし４のいずれか１項に記載の電気電子回路の結線図作成装置。
【請求項６】
前記結線図作成部が、配線と電気電子部品の属性の検索結果をもとに、配線や電気電子部品を移動、回転させる移動・回転手段を含むことを特徴とする請求項１ないし５のいずれか１項に記載の電気電子回路の結線図作成装置。
【請求項７】
前記結線図作成部が、配線と電気電子部品の属性の検索結果をもとに、配線や電気電子部品の削除や追加およびピンの割り付けの変更を行う追加・削除・変更手段を含むことを特徴とする請求項１ないし６のいずれか１項に記載の電気電子回路の結線図作成装置。
【請求項８】
前記出力部が、属性の異なる配線を重ねて示す重ね出力手段を含むことを特徴とする請求項１ないし７のいずれか１項に記載の電気電子回路の結線図作成装置。
【請求項９】
前記両方の入力部が、配線および電気電子部品の属性とは別に、コメントを付加するコメント付加手段をそれぞれ含み、前記記憶部がこのコメントを配線および電気電子部品の属性と共に記憶し、前記出力部が、結線図から配線および電気電子部品を選択することによりこのコメントを表示するコメント出力手段を含むことを特徴とする請求項１ないし８のいずれか１項に記載の電気電子回路の結線図作成装置。
【請求項１０】
前記出力部が、属性の有無にかかわらず全ての配線と電気電子部品を出力する全出力手段を含むことを特徴とする請求項１ないし９のいずれか１項に記載の電気電子回路の結線図作成装置。
【請求項１１】
前記出力部が、属性が付加された配線と電気電子部品を、属性が付加されていない配線と電気電子部品や別の属性が付加された配線と電気電子部品と区別して表示する区別出力手段を含むことを特徴とする請求項１ないし１０のいずれか１項に記載の電気電子回路の結線図作成装置。
【請求項１２】
プリント基板設計装置が接続され、前記電気電子回路の結線図作成装置で扱う情報をプリント基板設計装置と共有することを特徴とする請求項１ないし１１のいずれか１項に記載の電気電子回路の結線図作成装置。
【発明の詳細な説明】
【０００１】
【発明の属する技術分野】
この発明は、電気電子部品と電気電子部品の間を接続する配線を有する電気電子回路の結線図作成装置に関するものであり、特に、設計ルールをチェックするための支援機能を備えた電気電子回路の結線図作成装置に関するものである。
【０００２】
【従来の技術】
従来の電気電子回路の結線図作成装置は、電気電子部品とこれら電気電子部品の間を接続する配線を示す図面を作成する装置であり、各部品や配線の名前を記載することができた。また、作成した結線図の全体(回路規模の大きい場合には分割)を出力することができた。さらに、電気電子回路をプリント配線板上に実現するための設計装置であるプリント基板ＣＡＤと電気電子回路の結線図作成装置の持つ情報(電気電子部品とこれら電気電子部品の間の接続情報や、各部品や配線の名前)を共有し、設計の効率を図ることのできる電気電子回路の結線図作成装置もあった。
【０００３】
図１１は例えば、特開平６−２０３１０２号公報に示された従来のプリント配線板の設計方法を説明するための図である。同図において１はプリント基板、２はＣＰＵ、３はクロック、４はメモリコントローラ、５はメモリ群、６は増設メモリスロット１、７は増設スロット２、８はシステムバスコントローラ、９は拡張バススロット、１０はＩ／Ｏコントローラ１、１１はＩ／Ｏコントローラ２、１２はコネクタ１、１３はコネクタ２、１０１は領域１、１０２は領域２、１０３は領域３、１０４は領域４、２０１はＸ方向カットライン、２０２はＹ方向カットラインである。
【０００４】
次に動作について説明する。上記の構成によるプリント配線板の設計方法は、電気電子回路をプリント配線板上に実現するための設計装置であるプリント基板ＣＡＤのうち、配線パターン生成装置の機能に関するもので、プリント配線板からの放射ノイズを低減するため、放射ノイズの発生量が大きい信号群を同一方向に配線し、これら信号群が配線される領域の電源層またはグランド層にスリットが存在する場合、スリットの方向を信号群の配線方向と同一にしようとするものである。そのため、放射ノイズの発生し易さに応じて信号線を複数のランクに分類しようというものである。
【０００５】
【発明が解決しようとする課題】
従来のこの種の電気電子回路の結線図作成装置は以上のように構成されており、その表示出力形態は回路全体(回路規模の大きい場合には分割)を表示するものであった。従って、設計者が結線図のチェックを行う場合には、チェックを要する部品や配線を結線図より探さなければならないという問題があった。
【０００６】
また、電気電子回路をプリント配線板上に実装するための設計装置であるプリント基板ＣＡＤでは信号線を放射ノイズの発生し易さに応じて信号線を複数のランクに分類しているが、この情報が利用できるのはパターン設計の段階であり、結線図作成段階では利用ないという問題があった。
【０００７】
さらに、部品の外形に関する情報がなかったため、結線図作成終了段階で部品レイアウトを考えることが非常に困難であった。
【０００８】
この発明は上記のような問題点を解決するためになされたもので、設計ルールをチェックするための支援機能を備えた電気電子回路の結線図作成装置を提供することを目的とする。
【０００９】
【課題を解決するための手段】
上記の目的に鑑み、この発明は、電気電子部品と電気電子部品間を接続する配線を有する電気電子回路の結線図作成装置であって、前記電気電子部品および配線の属性情報を入力するそれぞれの属性の入力部と、電気電子部品、配線の作図用のデータ、入力された属性、および検索指示に基づき結線図を作成する結線図作成部と、前記結線図作成部で作成された結線図の結線図情報および入力された配線と電気電子部品の属性情報を記憶する記憶部と、指示された配線と電気電子部品の属性に従って前記記憶部内の検索を行う検索部と、前記配線と電気電子部品の属性の検索結果をもとに結線図全体から指示された属性の回路部分だけを出力する出力部と、を備え、前記電気電子部品の属性の入力部が、電気電子部品の属性を単一または複数の信号として与える属性付加手段、および部品の外形寸法、ピンの位置、ピンの割り当てとして与える部品の外形寸法、ピンの位置、ピンの割当て付加手段を含み、前記出力部が、入力した電気電子部品の外形寸法、ピンの位置、ピンの割り当てによって指定された情報で結線図を表示する出力手段を含むことを特徴とする電気電子回路の結線図作成装置にある。
【００１０】
また、前記出力部が、属性を入力した電気電子部品の電源とＧＮＤピンに接続された電源およびＧＮＤに関連した部分を、配線と電気電子部品の属性の検索結果に追加して出力する追加出力手段を含むことを特徴とする。
【００１１】
また、前記配線の属性の入力部が、配線の属性を単一または複数の信号とし、配線の一部に属性を与える属性付加手段を含むことを特徴とする。
【００１２】
また、前記電気電子部品の属性の入力部の属性付加手段が、電気電子部品の属性を単一または複数の信号とし、電気電子部品の一部に属性を与えることを特徴とする。
【００１３】
また、前記電気電子部品の属性の入力部の属性付加手段が、一つの電気電子部品に複数の属性を与えることを特徴とする。
【００１６】
また、前記結線図作成部が、配線と電気電子部品の属性の検索結果をもとに、配線や電気電子部品を移動、回転させる移動・回転手段を含むことを特徴とする。
【００１７】
また、前記結線図作成部が、配線と電気電子部品の属性の検索結果をもとに、配線や電気電子部品の削除や追加およびピンの割り付けの変更を行う追加・削除・変更手段を含むことを特徴とする。
【００１８】
また、前記出力部が、属性の異なる配線を重ねて示す重ね出力手段を含むことを特徴とする。
【００１９】
また、前記両方の入力部が、配線および電気電子部品の属性とは別に、コメントを付加するコメント付加手段をそれぞれ含み、前記記憶部がこのコメントを配線および電気電子部品の属性と共に記憶し、前記出力部が、結線図から配線および電気電子部品を選択することによりこのコメントを表示するコメント出力手段を含むことを特徴とする。
【００２０】
また、前記出力部が、属性の有無にかかわらず全ての配線と電気電子部品を出力する全出力手段を含むことを特徴とする。
【００２１】
また、前記出力部が、属性が付加された配線と電気電子部品を、属性が付加されていない配線と電気電子部品や別の属性が付加された配線と電気電子部品と区別して表示する区別出力手段を含むことを特徴とする。
【００２２】
また、プリント基板設計装置が接続され、前記電気電子回路の結線図作成装置で扱う情報をプリント基板設計装置と共有することを特徴とする。
【００２３】
【発明の実施の形態】
以下、この発明を各実施の形態に従って説明する。
実施の形態１．(第１の発明対応)
図１はこの発明による電気電子回路の結線図作成装置の一例の構成図、図２は図１の各部の機能ブロック図、図３は結線図作成装置によって作成される従来と同様の全体結線図の出力例、図４はこの発明の特徴である指定された属性に関連した部分のみの結線図の出力例である。
【００２４】
図１において２０は結線図作成部、１９は電気電子部品、配線のデータの入力部、２１は配線の属性の入力部、２２は電気電子部品の属性の入力部、２３は記憶部、２４は検索部、２５は出力部、２６はプリント基板設計装置である。なお、プリント基板設計装置２６は実施の形態８に係わるものである。
【００２５】
また図２において、結線図作成部２０中、２０ａは全体図面作成手段、２０ｂは属性付加部限定図面作成手段、２０ｃは移動・回転手段、２０ｄは追加・削除・変更手段である。配線の属性の入力部２１中、２１ａは属性付加手段、２１ｂはコメント付加手段である。電気電子部品の属性の入力部２２中、２２ａは属性付加手段、２２ｂは部品の外形寸法、ピン位置、ピン割当て付加手段、２２ｃはコメント付加手段である。
【００２６】
検索部２４中、２４ａは検索属性指示手段である。そして出力部２５中、２５ａは出力手段、２５ｂは追加出力手段、２５ｃは重ね出力手段、２５ｄはコメント出力手段、２５ｅは全出力手段、２５ｆは区別出力手段である。なお、図２は以下に説明する各実施の形態における全ての機能を示したもので、各部はそれぞれの手段を選択的に備えることができる。
【００２７】
また図３、図４において、３０ａ〜３０ｈ、３１ａ、３１ｃ、３１ｅ、３１ｆ〜３１ｊは電気電子部品、３２、３３ａ〜３３ｇは配線、３４ａ，３４ｂは電源、３５はグランドである(以下アルファベットの添字省略の場合あり)。
【００２８】
次に構造について説明する。本発明の電気電子回路の結線図作成装置では、結線図作成部２０において、電気電子部品、配線のデータの入力部１９からの電気電子部品、配線の作図データに基づいて各電気電子部品３０とこれら電気電子部品３０の各ピン間を接続する配線３２を描き(全体図面作成手段２０ａ)、その内容(結線図情報)を記憶部２３に記憶する。また、結線図作成部２０にて作成された結線図は出力部２５に出力される。
【００２９】
図３に出力結果の一例を示す。同図において３０ａ、３０ｆは入出力コネクタ、３０ｂは電源フィルタ、３０ｃ、３０ｄは標準ロジックＩＣ(７４＊＊０４：Ｈｅｘ  Ｉｎｖｅｒｔｅｒ)、３０ｅはＬＳＩ、３０ｇは抵抗(同一シンボルも同様)、３０ｈはコンデンサ(同一シンボルも同様)などの電気電子部品３０を示している。また、各電気電子部品３０の各ピン間は配線３２によって接続されている。さらに３４ａ、３４ｂは電源、３５はグランドをそれぞれ示している。
【００３０】
次に、結線図作成部２０において作成された配線３２に対し、配線の属性の入力部２１にて配線３２に対して属性を付加する(属性付加手段２１ａ)。さらに、電気電子部品の属性の入力部２２にて電気電子部品３０に対して属性を付加する(属性付加手段２２ａ)。これら配線３２、電気電子部品３０のうち属性が付加されたものは配線３３、電気電子部品３１として結線図と共に記憶部２３に記憶される(属性付加部限定図面作成手段２０ｂ)。なお、配線３２や電気電子部品３０の属性入力は、結線が全て完了した段階で行ってもよいが、結線図作成部２０において個々の配線３２や電気電子部品３０を描く時に入力してもかまわない。
【００３１】
次に、検索部２４にて、例えば使用者により検索する属性が指定されると(検索属性指定手段２４ａ)、結線図より指定された属性を持つ配線３３および電気電子部品３１を検索する。次に、例えば表示装置や印字装置等からなる出力部２５にて上記検索結果をもとに結線図全体から同じ属性の回路部分だけを表示する(出力手段２５ａ、属性付加部限定図面作成手段２０ｂ)。図４に出力結果例を示す。同図には、図３に示した結線図のうち、同じ属性を付加された配線３３ａ〜３３ｇおよび電気電子部品３１ａ、３１ｃ、３１ｅ〜３１ｊが表示されている。
【００３２】
なお、以下の各実施の形態でも同様であるが、各検索指示された結線図を作成するのは全て結線図作成部２０であり、これを記憶部２３に記憶し、これを所定の条件で出力するのが出力部２５である。
【００３３】
以上のような電気電子回路の結線図作成装置により、設計者が結線図のチェックを短時間で容易に行うことができる。すなわち、従来は、設計者が結線図のチェックを行う場合には、チェックを要する配線３３や電気電子部品３１を結線図より探さなければならなかった。これは、回路規模が大きくなると非常に困難であり、多くの時間と労力を要する作業である。
【００３４】
しかし、本発明の電気電子回路の結線図作成装置では、チェックを行いたい配線３３や電気電子部品３１のみを表示させることができるため、これらを回路図全体から探し出す作業にかかる時間を短縮することができる。さらに、チェックを設計段階の初期段階で効率良く行うことができるため、不具合の修正を行う場合、実現できる変更内容の選択肢が多く、製品開発のコスト低減および時間を短縮することができる。
【００３５】
実施の形態２．(第２の発明対応)
図５はこの発明の結線図作成装置によって作成された結線図の他の出力例である。図において３１は電気電子部品、３３は配線、３４は電源、３５はグランドである。
【００３６】
この実施の形態に係る電気電子回路の結線図作成装置は前記実施の形態１において、属性を入力した電気電子部品３１の電源３４およびＧＮＤ３５用ピン、さらに、これら電源３４およびＧＮＤ用ピンと電源３４およびＧＮＤ３５を接続する配線３３、さらに電源３４およびＧＮＤ３５のシンボルを、配線３３と電気電子部品３１の属性の検索結果に追加して出力する機能(追加出力手段２５ｂ)を有する出力部２５を備えたものである。例えば、出力すべき属性が付加された電気電子部品３１ａには１、２ピンにアサインされた電源３４ａと、３、１２ピンにアサインされたグランド３５があり、これらの配線とシンボルが表示することができる。他の出力すべき属性が付加された電気電子部品３１についても同様である。
【００３７】
以上のような電気電子回路の結線図作成装置により、チェックを行うために出力した配線３３、電気電子部品３１と電源３４およびグランド３５の関係がチェック可能となる。例えば、線対地コンデンサ等のチェックがこれにより可能となる。
【００３８】
(第３の発明対応)
なお、前記実施の形態１および２において、配線の属性の入力部２１では、配線３２に付加する属性として単一または複数の信号が入力可能とする(属性付加手段２１ａ)。例えば、信号１という属性として、あるクロック信号を伝送する配線３３だけに属性を付加することや、同一回路内に複数のクロックが存在する場合や、データ、制御信号等が複数存在し、これらをチェックする必要がある場合には信号１、信号２、・・・信号ｎという属性を配線３３に付加することを可能とする。従って、チェックを必要とする一部の配線３３のみに属性を与えるだけでよい。
【００３９】
以上のような電気電子回路の結線図作成装置により、全ての配線３２に属性を付加する必要がないため、作業時間を短縮できる。
【００４０】
(第４の発明対応)
さらに、前記実施の形態１および２において、電気電子部品の属性の入力部２２では、電気電子部品３０に付加する属性として単一または複数の信号が入力可能とする(属性付加手段２２ａ)。例えば、信号１という属性として、あるクロック信号を入力および出力あるいはこれらのいずれかをする電気電子部品３１だけに属性を付加することや、同一回路内に複数のクロックが存在する場合や、データ、制御信号等が複数存在し、これらをチェックする必要がある場合には信号１、信号２、・・・信号ｎという属性を電気電子部品３１に付加することを可能とする。従って、チェックを必要とする一部の電気電子部品３１のみに属性を与えるだけでよい。
【００４１】
以上のような電気電子回路の結線図作成装置により、全ての電気電子部品３０に属性を付加する必要がないため、作業時間を短縮できる。
【００４２】
(第５の発明対応)
さらに、前記実施の形態１および２において、電気電子部品の属性の入力部２２では、ひとつの電気電子部品３１に複数の属性を入力可能とする(属性付加手段２２ａ)。例えば、ある電気電子部品３１が複数のクロック、データ、制御信号等を入力および出力あるいはこれらのいずれかをし、これらをチェックする必要がある場合には、その電気電子部品３１一つに信号１、信号２、・・・信号ｎという複数の属性を付加することを可能とする。
【００４３】
以上のような電気電子回路の結線図作成装置により、チェックを要する信号が複数入力、出力する電気電子部品３１に対し、属性の変更を行うことなく結線図を出力できるため、作業時間を短縮できる。
【００４４】
実施の形態３．(第６の発明対応)
図６はこの発明の結線図作成装置によって作成された結線図の他の出力例である。図において３１は電気電子部品、３３は配線、３４は電源、３５はグランドである。
【００４５】
この発明に係る電気電子回路の結線図作成装置は、前記実施の形態１および２において、電気電子部品の属性の入力部２２では、電気電子部品３０に付加する属性として単一または複数の信号に加え、部品の外形寸法、ピンの位置、ピンの割り当ての入力を可能とする(部品の外形寸法、ピンの位置、ピンの割当て付加手段２２ｂ)。また、出力部２５は入力した電気電子部品の外形寸法、ピンの位置、ピンの割り当てによって指定された情報で結線図を表示するものとする(出力手段２５ａ)。
【００４６】
例えば、図５において、電気電子部品３１ｅはプリント基板ＣＡＤにおいてネットリストを作成し易いように、入出力がペアになって出力されている。しかし、このような出力形態では、電気電子部品３１ｅの外形寸法やピンの位置が実際と違うため、部品レイアウトを考えることが非常に困難であった。しかし、この発明に係る電気電子回路の結線図作成装置では、上記の属性を追加しており、かつこれら情報をもとに結線図を出力するため、図６のように実際の部品形状を表示することができる。
【００４７】
以上のように構成することにより、実際の部品形状を用いて結線図を表示することが可能であるため、プリント基板ＣＡＤで部品レイアウトを行うための資料を作成することができる。
【００４８】
(第７の発明対応)
なお、前記実施の形態１、２および３において、電気電子部品の属性の入力部２２では、電気電子部品３０に付加する属性として単一または複数の信号に加え、部品の形状、ピンの位置を選択によって入力し、ピンの割り当ては前記と同様に入力しても良い(部品の外形寸法、ピンの位置、ピンの割当て付加手段２２ｂ)。
【００４９】
以上のように構成することにより、結線図を作成する段階で正確な寸法や形状がわからなくても、電気電子部品３１に仮の属性を与えることができ、作業を継続することができると共に、これら属性の入力を容易に行うことができる。
【００５０】
実施の形態４．(第８の発明対応)
図７はこの発明の結線図作成装置によって作成された結線図の他の出力例である。図において３１は電気電子部品、３３は配線、３４は電源、３５はグランドである。
【００５１】
この発明に係る電気電子回路の結線図作成装置は、前記実施の形態１、２および３において、結線図作成部２０で、配線３３と電気電子部品３１の属性の検索結果をもとに、配線３３や電気電子部品３１の移動や回転を行う機能を備えたものである(移動・回転手段２０ｃ)。例えば、図６中の電気電子部品３１ｃ、３１ｅ、３１ｆ、３１ｇ、３１ｈや配線３３等を移動、回転することにより図７のような結線図を出力することができる。
【００５２】
以上のように構成することにより、結線図を作成する段階で部品レイアウト、パターン設計の検討を行うことができるため、プリント基板の設計の効率をあげることができる。
【００５３】
実施の形態５．(第９の発明対応)
図８はこの発明の結線図作成装置によって作成された結線図の他の出力例である。図において３１は電気電子部品、３３は配線、３４は電源、３５はグランドである。
【００５４】
この発明に係る電気電子回路の結線図作成装置は、前記実施の形態１、２、３および４において、結線図作成部２０で、配線３３と電気電子部品３１の属性の検索結果をもとに、配線３３や電気電子部品３１の削除や追加およびピンの割り付けの変更を行う機能を備えたものである(追加・削除・変更手段２０ｄ)。
【００５５】
例えば、図７中の電気電子部品３１ｃを標準ロジックＩＣ(７４＊＊０４：Ｈｅｘ  Ｉｎｖｅｒｔｅｒ)から図８中の電気電子部品３１ｉに示すように標準ロジックＩＣ(７４＊＊２４４：Ｏｃｔａｌ  ３−Ｓｔａｔｅ  Ｎｏｎｉｎｖｅｒｔｉｎｇ  Ｂｕｆｆｅｒ)に変更し、配線３３や電気電子部品３１の移動や回転を行うと(移動・回転手段２０ｃ)、図８のような結線図を出力することができる。
【００５６】
以上のように構成することにより、結線図を作成する段階で、従来プリント基板ＣＡＤで行っていた部品レイアウト、パターン設計の検討を行いながら、必要に応じて配線３３や電気電子部品３１の削除や追加およびピンの割り付けの変更を行うことができるため、プリント基板の設計の効率をあげることができる。
【００５７】
実施の形態６．(第１０の発明対応)
図９はこの発明の結線図作成装置によって作成された結線図の他の出力例である。図において３１は電気電子部品、３３は配線、３４は電源、３５はグランドである。
【００５８】
この発明に係る電気電子回路の結線図作成装置は、前記、実施の形態１、２、３、４および５において、検索部２４にて検索する属性を複数指定し、結線図より指定された属性を持つ配線３３および電気電子部品３１を検索する(検索属性指示手段２４ａ)。
【００５９】
次に出力部２５にて、上記検索結果をもとに結線図全体から指定された複数の属性を持つ回路部分だけを重ねて表示する(重ね出力手段２５ｃ)。図９に出力結果例を示す。同図には、図３に示した結線図のうち、二種類の属性が付加された配線が指定された結果である。なお、図９の各配線３３や各電気電子部品３１は前記実施の形態４、５に記載された方法にて移動、回転、追加、削除等が行われている。
【００６０】
以上のように構成することにより、複数の属性を持つ回路部分を重ねて表示するすることができるため、より多くの配線３３、電気電子部品３１を考慮した上でチェックを行うことができ、プリント基板の設計の効率をあげることができる。
【００６１】
(第１１の発明対応)
さらに、前記実施の形態１、２、３、４、５および６において、配線の属性の入力２１および部電気電子部品の属性の入力部２２で、属性とは関係のないコメントを付加すること(コメント付加手段２１ｂ，２２ｃ)、かつ、このコメントを配線および電気電子部品の属性と共に記憶部２３に記憶し、かつ、結線図から配線および電気電子部品を選択することにより、このコメントを出力部２５に表示するものとする(コメント出力手段２５ｄ)。
【００６２】
例えば、図９に示した結線図の配線３３に「クロック(５０ＭＨｚ)」というようなコメントを付加しておけは、出力結果の配線３３を選択することによって、このコメントを表示することができ、選択した配線３３のコメントを確認することができる。
【００６３】
以上のように構成することにより、属性の異なる複数の配線３３を表示したときに、選択した配線３３がどのような信号なのか等の情報を確認することができ、チェック作業を効率的に行うことができる。
【００６４】
実施の形態７．(第１２の発明対応)
図１０はこの発明の結線図作成装置によって作成された結線図の他の出力例である。図において３０、３１は電気電子部品、３２、３３は配線、３４は電源、３５はグランドである。
【００６５】
この発明に係る電気電子回路の結線図作成装置は、前記実施の形態１、２、３、４、５および６において、属性の有無にかかわらず全ての配線３２、３３と電気電子部品３０、３１を表示するものである(全出力手段２５ｅ)。例えば、図９に対し属性の有無にかかわらず全ての配線３２、３３と電気電子部品３０、３１を表示すると図１０のようになる。
【００６６】
以上のように構成することにより、属性を付加した配線３３および電気電子部品３１のチェックの最中または終了後に全ての回路を表示することにより回路全体のチェックを行うことができるため、プリント基板の設計の効率をあげることができる。また、配線３２、３３の交差の有無も確認できることから、プリント基板の各層への割り付けの資料とすることができる。
【００６７】
(第１３の発明対応)
さらに、前記実施の形態１、２、３、４、５および６において、属性が付加された配線３３と電気電子部品３１を属性が付加されていない配線３２と電気電子部品３０や、別の属性が付加された配線３３と電気電子部品３１と区別して表示する機能を有する出力部２５を備えたものである(区別出力手段２５ｆ)。例えば、図１０では属性の異なる配線を線の太さや色によって区別している。区別する方法として、線の太さや色の他に、線の種類(実践、破線)等を用いても良い。また、電気電子部品３０、３１についても同様に区別しても良い。
【００６８】
以上のように構成することにより、属性の異なる複数の配線３３や電気電子部品３１を表示したときや、回路全体を表示したときに、各配線３２、３３や電気電子部品３０、３１を簡単に区別することができるためチェック作業を効率的に行うことができる。
【００６９】
実施の形態８．(第１４の発明対応)
この発明に係る電気電子回路の結線図作成装置は、前記実施の形態１、２、３、４、５、６および７において、図１および２に示すようにプリント基板設計装置２６であるプリント基板ＣＡＤ等と属性の内容、仮レイアウト、仮パターンに関する情報を共有するものである。
【００７０】
以上のように構成することにより、結線図作成段階でチェックした内容をそのままプリント基板設計装置２６で使用することが可能となるため、プリント基板の設計の効率をあげることができる。
【００７１】
【発明の効果】
以上のようにこの発明によれば、電気電子部品と電気電子部品間を接続する配線を有する電気電子回路の結線図作成装置であって、前記電気電子部品および配線の属性情報を入力するそれぞれの属性の入力部と、電気電子部品、配線の作図用のデータ、入力された属性、および検索指示に基づき結線図を作成する結線図作成部と、前記結線図作成部で作成された結線図の結線図情報および入力された配線と電気電子部品の属性情報を記憶する記憶部と、指示された配線と電気電子部品の属性に従って前記記憶部内の検索を行う検索部と、前記配線と電気電子部品の属性の検索結果をもとに結線図全体から指示された属性の回路部分だけを出力する出力部と、を備えたことを特徴とする電気電子回路の結線図作成装置としたので、まず、設計者が結線図のチェックを短時間で容易に行うことができる。すなわち、従来は、設計者が結線図のチェックを行う場合には、チェックを要する配線や電気電子部品を結線図より探さなければならなかった。これは、回路規模が大きくなると非常に困難であり、多くの時間と労力を要する作業である。しかし、本発明の電気電子回路の結線図作成装置では、チェックを行いたい配線や電気電子部品のみを表示させることができるため、これらを回路図全体から探し出す作業にかかる時間を短縮することができる。さらに、チェックを設計段階の上流で効率良く行うことができるため、不具合の修正を行う場合、実現できる変更内容の選択肢が多く、製品開発のコスト低減および時間を短縮することができる。
【００７２】
また、前記出力部が、属性を入力した電気電子部品の電源とＧＮＤピンに接続された電源およびＧＮＤに関連した部分を、配線と電気電子部品の属性の検索結果に追加して出力する追加出力手段を含むことを特徴とする電気電子回路の結線図作成装置としたので、チェックを行うために出力した配線、電気電子部品と電源、グランドの関係がチェック可能となる。例えば、線対地コンデンサ等のチェックがこれにより可能となる。
【００７３】
さらに、前記配線の属性の入力部が、配線の属性を単一または複数の信号とし、配線の一部に属性を与える属性付加手段を含むことを特徴とする電気電子回路の結線図作成装置としたので、全ての配線に属性を付加する必要がないため、作業時間を短縮できる。
【００７４】
さらに、前記電気電子部品の属性の入力部が、電気電子部品の属性を単一または複数の信号とし、電気電子部品の一部に属性を与える属性付加手段を含むことを特徴とする電気電子回路の結線図作成装置としたので、全ての電気電子部品に属性を付加する必要がないため、作業時間を短縮できる。
【００７５】
さらに、前記電気電子部品の属性の入力部が、一つの電気電子部品に複数の属性を与える属性付加手段を含むことを特徴とする電気電子回路の結線図作成装置としたので、チェックを要する信号が複数入力および出力またはこれらのいずれかされる電気電子部品に対し、属性の変更を行うことなく結線図を出力できるため、作業時間を短縮できる。
【００７６】
さらに、前記電気電子部品の属性の入力部が、電気電子部品の属性を単一または複数の信号として与える属性付加手段、および部品の外形寸法、ピンの位置、ピンの割り当てとして与える部品の外形寸法、ピンの位置、ピンの割当て付加手段を含み、前記出力部が、入力した電気電子部品の外形寸法、ピンの位置、ピンの割り当てによって指定された情報で結線図を表示する出力手段を含むことを特徴とする電気電子回路の結線図作成装置としたので、実際の部品形状を用いて結線図を表示することが可能であるため、プリント基板ＣＡＤで部品レイアウトを行うための資料を作成することができる。
【００７７】
さらに、前記電気電子部品の属性の入力部が、電気電子部品の属性として、部品の形状、ピンの位置を選択的に入力でき、かつピンの割り当てが入力可能な部品の外形寸法、ピンの位置、ピンの割当て付加手段を含むことを特徴とする電気電子回路の結線図作成装置としたので、結線図を作成する段階で正確な寸法や形状がわからなくても、電気電子部品に仮の属性を与えることができ、作業を継続することができると共に、これら属性の入力を容易に行うことができる。
【００７８】
さらに、前記結線図作成部が、配線と電気電子部品の属性の検索結果をもとに、配線や電気電子部品を移動、回転させる移動・回転手段を含むことを特徴とする電気電子回路の結線図作成装置としたので、結線図を作成する段階で、部品レイアウト、パターン設計の検討を行うことができるため、プリント基板の設計の効率をあげることができる。
【００７９】
さらに、前記結線図作成部が、配線と電気電子部品の属性の検索結果をもとに、配線や電気電子部品の削除や追加およびピンの割り付けの変更を行う追加・削除・変更手段を含むことを特徴とする電気電子回路の結線図作成装置としたので、結線図を作成する段階で、部品レイアウト、パターン設計の検討を行いながら、必要に応じて配線や電気電子部品の削除や追加およびピンの割り付けの変更を行うことができるため、プリント基板の設計の効率をあげることができる。
【００８０】
さらに、前記出力部が、属性の異なる配線を重ねて示す重ね出力手段を含むことを特徴とする電気電子回路の結線図作成装置としたので、複数の属性を持つ回路部分を重ねて表示するすることができるため、より多くの配線、電気電子部品を考慮した上でチェックを行うことができ、プリント基板の設計の効率をあげることができる。
【００８１】
さらに、前記両方の入力部が、配線および電気電子部品の属性とは別に、コメントを付加するコメント付加手段をそれぞれ含み、前記記憶部がこのコメントを配線および電気電子部品の属性と共に記憶し、前記出力部が、結線図から配線および電気電子部品を選択することによりこのコメントを表示するコメント出力手段を含むことを特徴とする電気電子回路の結線図作成装置としたので、属性の異なる複数の配線を表示したときに、選択した配線がどのような信号なのか等の情報を確認することができ、チェック作業を効率的に行うことができる。
【００８２】
さらに、前記出力部が、属性の有無にかかわらず全ての配線と電気電子部品を出力する全出力手段を含むことを特徴とする電気電子回路の結線図作成装置としたので、属性を付加した配線および電気電子部品のチェックの最中または終了後に全ての回路を表示することにより回路全体のチェックを行うことができるため、プリント基板の設計の効率をあげることができる。
【００８３】
さらに、前記出力部が、属性が付加された配線と電気電子部品を、属性が付加されていない配線と電気電子部品や別の属性が付加された配線と電気電子部品と区別して表示する区別出力手段を含むことを特徴とする電気電子回路の結線図作成装置としたので、属性の異なる複数の配線や電気電子部品を表示したときや、回路全体を表示したときに、各配線や電気電子部品を簡単に区別することができるためチェック作業を効率的に行うことができる。
【００８４】
さらに、プリント基板設計装置が接続され、前記電気電子回路の結線図作成装置で扱う情報をプリント基板設計装置と共有することを特徴とする電気電子回路の結線図作成装置としたので、結線図作成段階でチェックした内容をそのままプリント基板設計装置で使用することが可能となるため、プリント基板の設計の効率をあげることができる。
【図面の簡単な説明】
【図１】  この発明による電気電子回路の結線図作成装置の一例の構成図である。。
【図２】  図１の各部の機能ブロック図である。
【図３】  この発明による結線図作成装置によって作成される従来と同様の全体結線図の出力例を示す図である。
【図４】  この発明の結線図作成装置によって作成された指定された属性に関連した部分のみの結線図の出力例を示す図である。
【図５】  この発明の結線図作成装置によって作成された結線図の他の出力例を示す図である。
【図６】  この発明の結線図作成装置によって作成された結線図の他の出力例を示す図である。
【図７】  この発明の結線図作成装置によって作成された結線図の他の出力例を示す図である。
【図８】  この発明の結線図作成装置によって作成された結線図の他の出力例を示す図である。
【図９】  この発明の結線図作成装置によって作成された結線図の他の出力例を示す図である。
【図１０】  この発明の結線図作成装置によって作成された結線図の他の出力例を示す図である。
【図１１】  従来のプリント配線板の設計方法によるプリント配線板のブロック図である。
【符号の説明】
１９  電気電子部品、配線のデータの入力部、２０  結線図作成部、２１  配線の属性の入力部、２２  電気電子部品の属性の入力部、２３  記憶部、２４  検索部、２５  出力部、２６  プリント基板設計装置、３０，３１  電気電子部品、３２，３３  配線、３４  電源、３５  グランド。
【図１】
0003824203.tif 000002
【図２】
0003824203.tif 000003
【図３】
0003824203.tif 000004
【図４】
0003824203.tif 000005
【図５】
0003824203.tif 000006
【図６】
0003824203.tif 000007
【図７】
0003824203.tif 000008
【図８】
0003824203.tif 000009
【図９】
0003824203.tif 000010
【図１０】
0003824203.tif 000011
【図１１】
0003824203.tif 000012